(57)【要約】【課題】  フェーダ装置の抵抗体とガイドバーとの間の隙間に斜め上方から挿入して、スムーズに抵抗体表面を清掃できるクリーニング工具を提供する。【解決手段】  フェーダ装置の直線状かつ平面状の抵抗体１とこれに沿ってその上部に隙間を隔てて延びるガイドバー５との隙間に上方から挿入して抵抗体表面を清掃するクリーニング工具であって、清掃作業者の手の指で保持される細長い操作部２と、クリーニング媒体が下面に装着される平板状のクリーニング部４と、ガイドバー５を回避してクリーニング部４と操作部２とを連結する連結部３と、を有する【選択図】  図１
2006231188.tif 000002
【特許請求の範囲】
【請求項１】
フェーダ装置の直線状かつ平面状の抵抗体とこれに沿ってその上部に隙間を隔てて延びるガイドバーとの隙間に上方から挿入して抵抗体表面を清掃するクリーニング工具であって、
清掃作業者の手の指で保持される細長い操作部と、
クリーニング媒体が下面に装着される平板状のクリーニング部と、
ガイドバーを回避してクリーニング部と操作部とを連結する連結部と、を有することを特徴とするクリーニング工具。
【請求項２】
操作部の軸方向の一方側を前方側として、前記連結部は、その後端が操作部の前方端部に結合され、操作部の軸方向から斜めにそれて操作部の前方側へ直線的に延びており、
クリーニング部は、連結部の先端に結合され、操作部の軸方向から傾斜して該先端から延びており、
前記クリーニング部の下面を含む仮想平面と、操作部の延長線との交点がクリーニング部より前方側に位置することを特徴とするクリーニング工具。
【請求項３】
清掃作業者の手の指で保持される細長い操作部と、
クリーニング媒体が下面に装着される平板状のクリーニング部と、
クリーニング部と操作部とを連結する連結部と、を有し、
操作部の軸方向の一方側を前方側として、前記連結部は、その後端が操作部の前方端部に結合され、操作部の軸方向から斜めにそれて操作部の前方側へ直線的に延びており、
クリーニング部は、連結部の先端に結合され、操作部の軸方向から傾斜して該先端から延びており、
前記クリーニング部の下面を含む仮想平面と、操作部の延長線との交点がクリーニング部より前方側に位置することを特徴とするクリーニング工具。
【請求項４】
前記クリーニング部の下部は、所定の厚みを持つ軟質弾性体によって構成されており、該軟質弾性体の下面にクリーニング媒体が装着されることを特徴とする請求項１乃至３のいずれかに記載のクリーニング工具。
【請求項５】
前記クリーニング媒体は不織布であり、
該不織布はクリーニング部の外周を取り巻くように着脱可能にクリーニング部に装着されることを特徴とする請求項１乃至４のいずれかに記載のクリーニング工具。
【請求項６】
前記クリーニング部には不織布が着脱可能に装着され、
前記操作部は、開口が形成されこの開口から内部に取替用の不織布が収納できる収納部と、前記開口に取り付けられて開口を閉じる着脱可能なカバー部とから構成されることを特徴とする請求項１乃至５のいずれかに記載のクリーニング工具。
【請求項７】
前記収納部には、前記内部を外部に通じさせ、ロッド部材を挿入して移動させることで内部に収納されている不織布を前記開口へ移動させることができるように、細長い小孔が形成されていることを特徴とする請求項６に記載のクリーニング工具。
【請求項８】
前記ロッド部材と、前記操作部と前記ロッド部材とを連結する連結手段とをさらに有することを特徴とする請求項７に記載のクリーニング工具。
【発明の詳細な説明】
【技術分野】
【０００１】
本発明は、クリーニング工具に関し、例えば、フェーダ装置の直線状の抵抗体と、これに沿ってその上部に位置するガイドバーとの間の隙間に上方から挿入してこの隙間に有る抵抗体表面を清掃するクリーニング工具に関する。
【背景技術】
【０００２】
フェーダ装置（例えば、特許文献１を参照）は、ディスクジョッキー等において多チャンネルのオリジナル音をミクシングする際の音量調整や、劇場等での照明の光量調整に使用される。
図７は、一般的なフェーダ装置を示している。図７（Ａ）に示すように、フェーダ装置は、直線状の抵抗体１とこの上を摺動する摺動子３１とからなり、摺動子３１を手動又はモータで移動させることにより抵抗体１の一端から摺動子３１までの抵抗値を変化させるようになっている。
【０００３】
フェーダ装置の抵抗体１及び摺動子３１は、摺動子３１と抵抗体１の接触箇所に応じた抵抗値をなすものであるので、抵抗体表面が汚れていることは好ましくない。抵抗体表面が汚れていると、接触箇所に応じた所望の抵抗値が得られなくなるなどの不具合が生じる。そのため、フェーダ装置の抵抗体表面を定期的に清掃している。
【０００４】
図７（Ｂ）は図７（Ａ）のＢ−Ｂ線矢視図である。従来においては、図７に示すように抵抗体１とこれに沿ってその上部に位置するガイドバー５との間に綿棒３２を斜め上方から押し込み、綿棒３２の先端で抵抗体１を擦って抵抗体表面を清掃していた。
【特許文献１】実用新案登録第３１０２１８８号公報
【発明の開示】
【発明が解決しようとする課題】
【０００５】
しかし、綿棒３２は、斜め上方から押し込まなければならないので、抵抗体１とガイドバー５との間に挿入しにくい。綿棒３２を抵抗体１とガイドバー５との間に挿入したとしても、手で綿棒３２を動かして十分な力でスムーズに抵抗体表面を擦って清掃できなかった。
【０００６】
また、清掃の際に、綿棒３２で抵抗体表面を擦っていると綿棒３２の糸くずが抵抗体１に付着してしまい、この糸くずはフェーダ装置の抵抗値出力性能に悪影響を与えていた。
【０００７】
さらに、綿棒３２ではとれない汚れを除去するためには、もっと大きい力を付与できる工具で清掃箇所を清掃するが、大きな力を加えて清掃すると、工具により抵抗体表面に傷を与えてしまうおそれがある。
【０００８】
従来において、上述のような隙間に挿入して隙間に有る清掃箇所を大きな力でクリーニングするためのクリーニング工具は見あたらない。
【０００９】
そこで、本発明の目的は、フェーダ装置の抵抗体とガイドバーとの間の隙間に斜め上方から挿入して、スムーズに抵抗体表面を清掃できるクリーニング工具を提供することにある。
【００１０】
本発明の別の目的は、清掃箇所へ強く押し付けながら清祥箇所を擦っても清掃箇所を傷つけないクリーニング工具を提供することにある。
【課題を解決するための手段】
【００１１】
上記本発明の目的を達成するため、本発明によると、フェーダ装置の直線状かつ平面状の抵抗体とこれに沿ってその上部に隙間を隔てて延びるガイドバーとの隙間に上方から挿入して抵抗体表面を清掃するクリーニング工具であって、清掃作業者の手の指で保持される細長い操作部と、クリーニング媒体が下面に装着される平板状のクリーニング部と、ガイドバーを回避してクリーニング部と操作部とを連結する連結部と、を有することを特徴とするクリーニング工具が提供される（請求項１）。
【００１２】
このクリーニング工具により、清掃作業者は手の指で操作部を保持し、ガイドバーを回避してクリーニング部の下面を、ガイドバーの下方の隙間に位置する抵抗面に接触させることができる。特に、連結部は、ガイドバーを避けてクリーニング部と操作部とを連結しているので、清掃作業者は、ガイドバーに妨げられることなくスムーズに抵抗体表面を擦って清掃できる。
【００１３】
本発明の好ましい実施形態によると、操作部の軸方向の一方側を前方側として、前記連結部は、その後端が操作部の前方端部に結合され、操作部の軸方向から斜めにそれて操作部の前方側へ直線的に延びており、クリーニング部は、連結部の先端に結合され、操作部の軸方向から傾斜して該先端から延びており、前記クリーニング部の下面を含む仮想平面と、操作部の延長線との交点がクリーニング部より前方側に位置する（請求項２）。
【００１４】
この形状により、クリーニング部の下面のクリーニング媒体を水平な抵抗体表面に接触させると、操作部が前方斜め下方を向き、かつ、連結部が操作部前方端部から直線的に前方斜め下方にさらに傾斜してクリーニング部まで延びているので、清掃作業者は、操作部を指で保持して、クリーニング部の下面を抵抗面に強く押し付けながら、スムーズに抵抗体表面を擦ることができる。
【００１５】
また、本発明の別の目的を達成するために、本発明によると、清掃作業者の手の指で保持される細長い操作部と、クリーニング媒体が下面に装着される平板状のクリーニング部と、クリーニング部と操作部とを連結する連結部と、を有し、操作部の軸方向の一方側を前方側として、前記連結部は、その後端が操作部の前方端部に結合され、操作部の軸方向から斜めにそれて操作部の前方側へ直線的に延びており、クリーニング部は、連結部の先端に結合され、操作部の軸方向から傾斜して該先端から延びており、前記クリーニング部の下面を含む仮想平面と、操作部の延長線との交点がクリーニング部より前方側に位置することを特徴とするクリーニング工具が提供される（請求項３）。
【００１６】
この形状により、例えば、クリーニング部の下面を水平にしてクリーニング媒体を清掃箇所に接触させると、操作部が前方斜め下方を向き、かつ、連結部が操作部前方端部から直線的に前方斜め下方にさらに傾斜してクリーニング部まで延びているので、清掃作業者は、操作部を指で保持して、クリーニング部の下面を清掃箇所に強く押し付けながら、スムーズに清掃箇所を擦ることができる。
【００１７】
本発明の好ましい実施形態によると、前記クリーニング部の下部は、所定の厚みを持つ軟質弾性体によって構成されており、該軟質弾性体の下面にクリーニング媒体が装着される（請求項４）。
【００１８】
これにより、軟質弾性体によってクリーニング媒体を清掃箇所に押し付けるので、強い力で清掃箇所をこすっても清掃箇所に傷がつくことが防止される。
【００１９】
また、前記クリーニング媒体は不織布であり、該不織布はクリーニング部の外周を取り巻くように着脱可能にクリーニング部に装着されることが好ましい（請求項５）。
【００２０】
不織布で清掃箇所を清掃するので、糸くずが清掃箇所に残ることはない。また、不織布が着脱可能にクリーニング部に装着することができるので、不織布が汚れたら簡単に取り替えできる。
【００２１】
また、本発明の好ましい実施形態によると、前記クリーニング部には不織布が着脱可能に装着され、前記操作部は、開口が形成されこの開口から内部に取替用の不織布が収納できる収納部と、前記開口に取り付けられて開口を閉じる着脱可能なカバー部とから構成される（請求項６）。
【００２２】
不織布が操作部の収納部に保管できるので、必要時に不織布を簡単かつ速やかに取り替えることができる。
【００２３】
また、前記収納部には、前記内部を外部に通じさせ、ロッド部材を挿入して移動させることで内部に収納されている不織布を前記開口へ移動させることができるように、細長い小孔が形成されていることが好ましい（請求項７）。
【００２４】
これにより、ロッド部材を小孔に挿入して収納部内に収納された不織布を容易に取り出すことができる。
【００２５】
前記ロッド部材と、前記操作部と前記ロッド部材とを連結する連結手段とをさらに有することが好ましい（請求項８）。
【００２６】
これにより、ロッド部材が操作部に連結されているので、必要時に連結されたロッド部材を用いて、速やかに取替用の不織布を収納部から取り出すことができる。
【発明を実施するための最良の形態】
【００２７】
本発明の好ましい実施形態を図面を参照して説明する。なお、各図において共通する部分には同一の符号を付し、重複した説明を省略する。
【００２８】
図１（Ａ）は、本発明の実施形態によるクリーニング工具の構成を示している。クリーニング工具は、清掃作業者の指（破線で示す）で保持される細長い操作部２と、破線で示した不織布６が外周を取り巻くように装着される平板状のクリーニング部４と、ガイドバー５（図２を参照）を回避してクリーニング部４と操作部２とを連結する連結部３と、を有する。
【００２９】
このクリーニング工具は、次のような形状を持つ。図１（Ａ）の矢印Ａ方向を操作部２の軸方向の前方側として、連結部３は、その後端が操作部２の前方端部に結合され、操作部２の軸方向から角度θ1だけ斜めにそれて操作部２の前方側へ直線的に延びている。また、クリーニング部４は、連結部３の先端に結合され、この先端から操作部２の軸方向から角度θ2だけ傾斜して延びている。クリーニング部４の下面を含む仮想平面と、操作部の軸の延長線との交点Ｐがクリーニング部４より前方側に位置する。なお、図１（Ｂ）は、図１（Ａ）のＢ−Ｂ線矢視図である。
【００３０】
上述のクリーニング工具の形状により、図２に示すように、図７のフェーダ装置においてガイドバー５の下部の隙間に斜め方向からクリーニング部４を挿入して、操作部２を指先で挟み込み斜め下方に向けて力を付与することで、クリーニング部４に装着された不織布６を抵抗体１に押圧しながら、抵抗体１を不織布６で擦って清掃することができる。なお、試作のクリーニング工具ではθ1は約４５度でありθ2は約３０度であるが、本発明はこれらの角度に限定されない。
【００３１】
即ち、クリーニング工具の形状は、図３の矢印Ａ，Ｂでそれぞれ示すように、清掃作業者が手の指で操作部２を保持して、クリーニング部４の下面を抵抗体１に押し付ける力と、クリーニング部４の下面を抵抗体１上で滑らせる力とを同時に与えやすいようになっている。特に、図３の矢印Ａで示される押圧力を大きく付与しやすい形状となっている。
【００３２】
操作部２には、細かい凹凸が表面に多数形成された円柱形状の滑り止め部２ａが設けられている。この滑り止め部２ａを指先で挟み持つことで、清掃時にクリーニング工具に大きな力を加えても指先がすべらないようになっている。なお、他の方法で滑り止め部を形成してもよい。例えば、滑り止め部を設ける操作部２の部分を円柱形状にしておき、この円柱形状部分の外周にその軸方向に間隔を置いて複数の溝を形成することで滑り止め部を構成してもよい。
【００３３】
クリーニング部４には、不織布６が着脱可能に装着される。不織布６は、図４（Ａ）に示すように、２枚の不織布を重ね合わせてその両側において２枚の不織布を縫うなどして結合させて作成される。図４（Ｂ）はクリーニング部４を省略した図４（Ａ）のＢ−Ｂ線矢視図であり、図４（Ｃ）は図４（Ａ）のＢ−Ｂ線矢視図である。
【００３４】
このように作成された不織布６は、図４（Ｂ）及び図４（Ｃ）に示すように、クリーニング部４が挿入される内部空間６ａとその開口６ｂを形成できるように作成されている。これら２枚の不織布により形成される内部空間６ａに開口６ｂからクリーニング部４が挿入されることで、不織布６が、クリーニング部４の外周を取り巻くように密着して装着される。これにより、クリーニング部４が不織布６によって覆われ、クリーニング部下面の不織布６で清掃箇所を擦っても、装着された不織布６は、後述するように軟質弾性体４ａで形成されているクリーニング部４の下面との摩擦力により、ずれることが防止される。また、不織布６は着脱可能に装着されるので、不織布６が汚れたら新しい不織布６に取り替えることができる。
【００３５】
なお、図３（Ｂ）の矢印Ｂ方向に、クリーニング部下面の不織布６で清掃箇所を擦る時に、摩擦力が足りずに不織布６がずれたとしても、不織布６が連結部３に引っかかるので、不織布６がはずれることはない。また、クリーニング部４に装着される不織布６は、上述の例に限られず、クリーニング部６の下面に装着できる他の適切なものであってよい。例えば、着脱可能な他の不織布形状を採用したり、不織布６を着脱可能にせずに予めクリーニング部４の下面に結合させてもよい。本発明の実施形態ではクリーニング媒体として不織布６を用いたが、糸くずがでてしまうが布をクリーニング媒体として用いたり、他の適切なものをクリーニング媒体として用いてもよい。
【００３６】
クリーニング部４の下部は所定の厚みを持つゴムなどの軟質の弾性体４ａで構成され、不織布６がクリーニング部４の外周を取り巻いて覆うように装着されるので、軟質弾性体４ａが不織布６を介して抵抗体表面を押圧することになり、強い力でクリーニング部４の下面を抵抗体１に押圧させて擦っても抵抗体１に傷がつくことが確実に防止される。従って、本発明の実施形態によるクリーニング工具を用いると、抵抗体１に傷を与えることなく強い力で抵抗体１を擦ることができる。なお、実際の使用時には、不織布６に適当なクリーニングオイルを含ませて抵抗体表面を擦って清掃することができる。また、軟質弾性体４ａは、ゴム以外の他の適切な軟質弾性体であってもよい。
【００３７】
さらに、本発明の実施形態によると、清掃時は、糸くずのでない不織布６が抵抗体１に接触して不織布６が抵抗体１を擦ることで清掃が行われるので、抵抗体表面の清掃後に糸くずが抵抗体１に残ることはなく、糸くずによってフェーダ装置の性能に悪影響を与えることが防止される。
【００３８】
図５は、取替用の不織布６を収納するための操作部２の構造を示している。図５（Ａ）に示すように、操作部２は、外部に軸方向に開口している収納スペース８ｂを内部に有する収納部８と、収納部８の開口８ｄに取り付けられて開口８ｄを閉じるカバー部９とから構成される。カバー部９を収納部８に取り付けて結合させるために両者を螺合させる。例えば、収納部８の開口付近に雌ねじ８ａを設け、カバー部９に雄ねじ９ａを設ける。収納部８の雌ねじ８ａをカバー部９の雄ねじ９ａに螺合させて両者を結合させる。なお、他の適切な手段で収納部８とカバー部９とを結合させてもよい。
【００３９】
取替用の不織布６を収納部８に収納する場合には、開口８ｄから不織布６を丸めて又は折りたたんで収納スペース８ｂに入れ、カバー部９を収納部８に螺合させることで開口８ｄが閉じる。図５（Ｂ）は、図５（Ａ）のＢ−Ｂ線矢視図であり、不織布６を折りたたんで収納部８に収納している状態を示している。
【００４０】
図５（Ａ）に示すように、収納部８の側面には、内部の収納スペース８ｂを外部に通じさせる軸方向に細長い小孔８ｃが形成されている。この小孔８ｃに後述のロッド部材１２を挿入して、収納スペース８ｂに収納されている不織布６に引っ掛けて、細長い小孔８ｃに沿って開口８ｄの方へ移動させることにより、不織布６を開口８ｄへ導いて取り出すことができる。
【００４１】
このように、取替用の不織布６がクリーニング工具の内部に収納されているので、カバー部９を収納部８から取り外して不織布６を便利かつ速やかに取替えることができる。
【００４２】
また、操作部２とロッド部材１２とをキーホルダー形式で連結させてクリーニング工具を構成することができる。例えば、図６に示すように、操作部２の後端部に貫通孔１４を形成し、この貫通孔１４に小リング１５を通し、小リング１５を大リング１７に通す。一方、ロッド部材１２は、例えば、図６に示すように、後端部に貫通孔１９ａが形成され先端部に雌ねじ１９ｂが設けられたカバー１９と、カバー１９の雌ねじ１９ｂに螺合する雄ねじ２１ａが設けられロッド部分２１ｂを有するロッド本体２１とからなる。カバー１９の雌ねじ１９ｂとロッド本体２１の雄ねじ２１ａとが螺合してロッド部分２１ｂがカバー１９の内部スペース１９ｃに収められる。カバー１９の貫通孔１９ａに小リング２２を通しこの小リング２２に前記大リング１７を通す。このようにして、図６のように、ロッド部材１２が連結されたキーホルダー形式でクリーニング工具を構成することができる。なお、小リング１５、２２及び大リング１７を有するキーホルダーは連結手段を構成するが、紐やチェーンなど他の適切なもので連結手段を構成してもよい。また、紐やチェーンを十分長くしておけば、必要時にロッド部材１２を紐やチェーンから取り外さなくても済む。
【００４３】
なお、本発明は上述した実施の形態に限定されず、本発明の要旨を逸脱しない範囲で種々変更を加え得ることは勿論である。
【００４４】
本発明の実施形態に従った試作のクリーニング工具の寸法は、操作部２の長さが約４ｃｍ、連結部３の長さが約２ｃｍ、クリーニング部４の長さが約１ｃｍであるが、これらの寸法は用途によって適宜変更することができる。例えば、クリーニング部４の寸法を長くすることで、隙間の奥まで清掃できるようになる。
【００４５】
また、上述の実施形態では、フェーダ装置のガイドバー５と抵抗体１との間に、斜め上方からクリーニング部４を挿入して、抵抗体１を清掃する場合を説明したが、本発明はこれに限定されない。即ち、隙間に清掃箇所があり、この隙間に斜めからクリーニング部４を挿入して清掃箇所を清掃する適切な用途に本発明のクリーニング工具を用いることができる。また、上述の実施形態のクリーニング工具の形状により、強い接触圧をスムーズに付与できるので、強い力で清掃が必要な他の清掃箇所にも適用することもできる。
【００４６】
また、操作部２の軸方向から連結部３が傾斜する角度θ1や、操作部２の軸方向からクリーニング部が傾斜する角度θ2は適宜変更することができる。
【図面の簡単な説明】
【００４７】
【図１】図１（Ａ）は本発明の実施形態によるクリーニング工具の構成図であり、図１（Ｂ）は図１のＢ−Ｂ線矢視図である。
【図２】図１のクリーニング工具の使用状態を示す図である。
【図３】図１のクリーニング工具によってクリーニング部の下面へ付与する力を表す図である。
【図４】図４（Ａ）は図１（Ｂ）のクリーニング部の拡大図であり不織布が装着された状態を示しており、図４（Ｂ）はクリーニング部を省略した図４（Ａ）のＢ−Ｂ線矢視図であり、図４（Ｃ）は図４（Ａ）のＢ−Ｂ線矢視図であり不織布が装着された状態を示している。
【図５】図５（Ａ）は本発明の実施形態によるクリーニング工具に設けられた不織布収納機能の構成図であり、図５（Ｂ）は図５（Ａ）Ｂ−Ｂ線矢視図である。
【図６】本発明の実施形態によるキーホルダー形式のクリーニング工具を示す図である。
【図７】図７（Ａ）は従来におけるフェーダ装置の抵抗体表面の清掃の説明図であり、図７（Ｂ）は図７（Ａ）のＢ−Ｂ線矢視図である。
【符号の説明】
【００４８】
１  抵抗体（清掃箇所）
２  操作部
２ａ  滑り止め部
３  連結部
４  クリーニング部
４ａ  軟質弾性体
５  ガイドバー
６  不織布
６ａ  内部空間
６ｂ  開口
８  収納部
８ａ  雌ねじ
８ｂ  収納スペース
８ｃ  小孔
８ｄ  開口
９  カバー部
９ａ  雄ねじ
１２  ロッド部材
１４  貫通孔
１５，２２  小リング
１７  大リング
１９  カバー
１９ａ  貫通孔
１９ｂ  雌ねじ
２１  ロッド本体
２１ａ  雄ねじ
２１ｂ  ロッド部分
【図１】
2006231188.tif 000003
【図２】
2006231188.tif 000004
【図３】
2006231188.tif 000005
【図４】
2006231188.tif 000006
【図５】
2006231188.tif 000007
【図６】
2006231188.tif 000008
【図７】
2006231188.tif 000009